(57)【特許請求の範囲】
【請求項１】
起立状に配置する金網製の防御網と、この防御網の下部で防護圏の外側位置に先端下がりの傾斜状に配置されるスカート部材とからなり、上記スカート部材が防護網に起伏動可能に取り付けられている有害動物の侵入防止装置において、
上記防御網は、鉄線を用いた縦線と横線を交差させて交点を溶接することにより形成され、その網目の大きさは、下半部が横線の配置を密にすることにより上半部よりも小さな網目に設定され、
上記スカート部材は、防御網を構成する横線に後端部を枢止することによって起伏動可能に取り付けられ、このスカート部材は、金網又はエキスパンドメタルを用い、網目又は開口を有する構造に形成されていることを特徴とする有害動物の侵入防止装置。
【発明の詳細な説明】
【０００１】
【発明の属する技術分野】
この発明は、有害動物の侵入防止装置、特に、猪から農作物等を保護するのに適した侵入防止装置に関する。
【０００２】
【従来の技術】
近年、自然環境の荒廃が進み、山野に生息する各種動物の餌が減少し、このため、上記動物が人間の生活圏にまで侵入し、特に、農作物等を食害する被害が頻繁に発生し、農作物等の生産者の生活を脅かしている。
【０００３】
従来、農作物等を動物から保護する方法として、農作物等を栽培する田畑や山林の周囲をトタン板や樹脂波板等を用いた防護柵で囲むことが一般に行われている。
【０００４】
ところで、防護柵は、侵入を防がんとする動物の種類に合わせて高さや強度等の条件を設定する必要があり、基本的にはより高く、より強固な構造を採用するのが好ましい。
【０００５】
【発明が解決しようとする課題】
しかし、実際の設置における防護柵の高さや強度の設定には、コストの面等でおのずから限界があり、防護柵を高く設定すると風圧の問題を考慮しなければならない。
【０００６】
例えば、食害の被害が甚大である猪の場合は、定位置での跳躍の高さが１５００ｍｍ以上あることが確認されており、従って、猪の侵入を防ぐには防護柵の高さをそれ以上に設定しなければならないが、高さを高く設定するとことは強度的に弱くなり、コスト的にも高くつくという問題がある。
【０００７】
そこで、この発明の課題は、防護網の近くで動物が跳躍するのを困難にし、跳躍による乗り越えの発生を防ぐことにより、防護網の高さをできるだけ低く設定することができる有害動物の侵入防止装置を提供することにある。
【０００８】
【課題を解決するための手段】
上記のような課題を解決するため、この発明は、起立状に配置する金網製の防御網と、この防御網の下部で防護圏の外側位置に先端下がりの傾斜状に配置されるスカート部材とからなり、上記スカート部材が防護網に起伏動可能に取り付けられている有害動物の侵入防止装置において、上記防御網は、鉄線を用いた縦線と横線を交差させて交点を溶接することにより形成され、その網目の大きさは、下半部が横線の配置を密にすることにより上半部よりも小さな網目に設定され、上記スカート部材は、防御網を構成する横線に後端部を枢止することによって起伏動可能に取り付けられ、このスカート部材は、金網又はエキスパンドメタルを用い、網目又は開口を有する構造に形成されている構成を採用したものである。
【０００９】
上記防護網は、例えば、３．２ｍｍ径の鉄線を用いた縦線と横線を交差させて交点を溶接することにより形成され、例えば、幅は１５００ｍｍ、高さは猪が跳躍しても乗り越えが困難な１８００ｍｍに設定されている。
また、防護網の網目の大きさは、特に下半部が兎や狸のような小動物の侵入を防ぐことのできるように、横線の配置を密にすることにより小さな網目に設定されている。
【００１０】
上記スカート部材は、防護網を起立状に配置した状態でこのスカート部材を倒すと、先端が接地して先端下がりの傾斜状になり、猪はこのような足が嵌る網目又は開口を有する傾斜状のスカート部材の上に乗るのを嫌うため、防護網の根元部分で跳躍して防護網を乗り越すようなことがなくなる。
【００１１】
また、スカート部材を撥ね上げて起立させ、この起立状態を防護網に仮止すれば、スカート部材の下部地面に発生した雑草を刈るときの作業が支障なく行え、雑草で覆われることがないので、スカート部材の機能を維持することができる。
【００１２】
【発明の実施の形態】
以下、この発明の実施の形態を図示例と共に説明する。
【００１３】
図１乃至図３に示す第１の実施の形態の有害動物の侵入防止装置は、起立状に配置する金網製の防護網１と、この防護網１の下部で防護圏の外側位置に先端下がりの傾斜状に配置されるスカート部材とからなり、上記スカート部材２が防護網１に起伏動可能に取り付けられている。
【００１４】
図示の場合、防護網１は、鉄線を用い、縦線３と横線４を交差させて交点を溶接することにより形成され、使用する鉄線の径及び、防護網１の幅と高さや網目の大小は、防護せんとする動物の種類に合わせて設定すればよいが、例えば、猪用の場合の好ましい例としては、縦線３と横線４に３．２ｍｍ径の鉄線を用い、防護網１の幅は１５００ｍｍ、高さは猪が跳躍しても乗り越えが困難な１８００ｍｍに設定されている。
【００１５】
また、上記防護網１の網目は、縦線３と横線４の上半部をそれぞれ１００ｍｍ又は１５０ｍｍの間隔で配置し、横線４の下半部を５０ｍｍ又は７５ｍｍの間隔で配置して各交点を溶接し、下半部の網目を小さくすることにより、下部の強度を向上させると共に、兎や狸のような小動物の侵入を防ぐことのできるようにしている。
【００１６】
なお、防護網１は、図示のような鉄線だけでなく、帯鉄を用いて網状に形成してもよく、何れにおいても、網目になっているので、風圧を受けることが少ない構造になっている。
【００１７】
上記スカート部材２は、図示のような鉄線や帯鉄を用いて溶接した金網又はエキスパンドメタルを用い、例えば、猪の足が嵌まる網目又は開口を有する構造に形成され、防護網１に略等しい横幅と、防護網１の外部に十分な傾斜面を形成し得る前後方向の長さを有し、後端部を防護網１の所定高さ位置にある横線４に枢止することにより起伏動可能に取り付けられ、図１（Ｂ）と図３のように、防護網１を起立状に配置した状態でこのスカート部材２を倒すと、先端が接地して先端下がりの傾斜状になる。
【００１８】
また、スカート部材２は、撥ね上げて起立させ、線材を用いた適宜の仮止金具５を使用して防護網１の横線４に着脱可能に仮止することにより、起立状態を保持することができるようになっている。
【００１９】
図４に示す第２の実施の形態の有害動物の侵入防止装置は、上記第１の実施の形態の有害動物の侵入防止装置において、防護網１の上端部の複数本の横線４を縦線３に絶縁部材６を介して固定し、防護網１を起立配置した状態で上記横線４に電流を流すことにより、猿のような防護網１をよじ登るような動物が防護網１を乗り越えて侵入するのを防止するようにしている。
【００２０】
また、図５は第２の実施の形態の他の例を示し、防護網１の両側に位置する縦線３の上端部だけを上方に突出させ、この縦線３の突出した上端部間に電流を流すための複数本の横線４を絶縁部材６を介して電気絶縁的に張設したものである。
【００２１】
なお、何れの実施の形態においても、防護網１は、縦線３に対して横線４が防護圏側に位置する状態で使用した例を図示したが、これとは逆の配置にしてもよく、更に、防護網１とスカート部材２は、メッキ処理を施すことによる防錆機能を付加したり、設置する部分の景観等に合わせた色彩の着色を施してもよい。
【００２２】
この発明の有害動物の侵入防止装置は、上記のような構成であり、農作物等を動物から保護するには、図１のように、防護網１の幅に見合う間隔で間伐材等を用いた杭７を打設し、隣接する杭７の間に防護網１を起立状に配置し、防護網１の縦線３の下端を地中に差し込んだ状態で防護網１の両側を杭７に又釘等を用いて固定する。
【００２３】
このようにして、防護網１で農作物等を栽培する田畑や山林の周囲を囲んだり、進入路を塞ぐようにし、各防護網１の下部においては、防護圏の外側位置に取り付けたスカート部材２を伏倒させ、先端が接地して先端下がりの傾斜状となるように配置する。
【００２４】
このような状態で、防護圏の内側に侵入しようとして防護網１に近づいた動物、例えば猪は、下部にスカート部材２が存在するため、防護網１に接近することを嫌い、よしんばスカート部材１の上に乗ろうとしても、傾斜しているので乗りにくく、また、足が嵌まる網目や開口を有する傾斜状のスカート部材２の上に乗るのを本質的に嫌がるため、猪は防護網１の根元部分で跳躍することができなくなり、このため、防護網１が直接的な侵入を防ぐと共に、スカート部材２が跳躍による防護網１の乗り越しを防ぐことができ、従って、防護圏の内側に猪が侵入するのを防止することができる。
【００２５】
上記のように、防護網１の接近位置で猪が跳躍できなくすることにより、猪の跳躍により飛び越せる高さを低く設定でき、その分だけ防護網１の高さ寸法を低くして使用材料の削減を図ることができる。
【００２６】
また、防護網１は、下半部の網目を細かくしてあるので、兎や狸のような小動物の侵入を防ぐことができ、さらに、第２の実施の形態で示した防護網１のように、上部の横線４に電流を流すようにすると、猿のように防護網１を登ることのできる動物の侵入を防ぐことができる。
【００２７】
上記のように防護網１とスカート部材２を設置した部分に、雑草が生えてスカート部材２を覆うような事態が発生し、スカート部材２の機能を低下させるようなことになる場合は、定期的な雑草の刈り取りが必要になる。
【００２８】
そこで、スカート部材２の下に生えた雑草の刈り取りを行うには、図２に示すように、スカート部材２を上方への回動により起立させ、これを防護網１の横線４に仮止金具５で止めて起立状態を保持すれば、雑草の刈り取り作業にスカート部材２が邪魔にならず、刈り取り作業が円滑に行えることになる。
【００２９】
【発明の効果】
以上のように、この発明によると、起立状に配置する金網製の防護網の外側で下部の位置に、先端下がりの傾斜状に配置されるスカート部材を設け、上記スカート部材は、防御網を構成する横線に後端部を枢止することによって起伏動可能に取り付けられ、このスカート部材は、金網又はエキスパンドメタルを用い、網目又は開口を有する構造に形成したので、防護圏の内側に侵入しようとして防護網に近づいた動物は、下部にスカート部材が存在するため、防護網に接近することを嫌い、よしんばスカート部材の上に乗ろうとしても、傾斜していると共に網目又は開口があるので乗りにくく、そのため、動物は防護網の根元部分で跳躍することができなくなり、このため、防護網が直接的な侵入を防ぐと共に、スカート部材が跳躍による防護網の乗り越しを防ぐことができ、従って、防護圏の内側に有害動物が侵入するのを防止することができる。
【００３０】
また、上記防御網は、鉄線を用いた縦線と横線を交差させて交点を溶接することにより形成され、その網目の大きさは、下半部が横線の配置を密にすることにより上半部よりも小さな網目に設定されているので、兎や狸のような小動物の侵入を防ぐことができ、更に、スカート部材を防護網に起伏動可能に取り付けたので、スカート部材の下に生えた雑草の刈り取りを行うとき、スカート部材を撥ね上げて起立状態に仮止すれば、雑草の刈り取り作業にスカート部材が邪魔にならず、刈り取り作業が円滑に行えることになる。
【００３１】
更に、スカート部材の配置により、防護網への接近位置で動物が跳躍するのを防ぐようにしたので、跳躍により動物が乗り越せる高さを低くすることができ、これに伴い使用する防護網の高さ寸法を高く設定する必要がなくなり、防護網の形成材料の削減によるコスト低減が図れることになる。
【図面の簡単な説明】
【図１】（Ａ）は第１の実施の形態の侵入防止装置において、防護網を打設した杭の間に起立状に配置し、スカート部材を省いた状態の正面図、（Ｂ）は同上の防護網において下部に取り付けたスカート部材を接地させた状態の縦断側面図
【図２】上記スカート部材を撥ね上げて仮止させた状態の縦断側面図
【図３】防護網を打設した杭の間に起立状に配置し、スカート部材を接地させた状態の斜視図
【図４】（Ａ）は第２の実施の形態の侵入防止装置において、防護網を打設した杭の間に起立状に配置し、スカート部材を省いた状態の正面図、（Ｂ）は同上の防護網において下部に取り付けたスカート部材を接地させた状態の縦断側面図
【図５】第２の実施の形態の侵入防止装置における他の例を示す防護網の上部構造の正面図
【符号の説明】
１  防護網
２  スカート部材
３  縦線
４  横線
５  仮止金具
６  絶縁部材
７  杭
【図１】
0004761420.tif 000002
【図２】
0004761420.tif 000003
【図３】
0004761420.tif 000004
【図４】
0004761420.tif 000005
【図５】
0004761420.tif 000006